(57)【要約】【課題】  建築物の内外装工事における作業時の安全性が向上し、かつ、簡易に持ち運べるとともに、設置が容易で収納に便利な足場床を設置するための部材を提供することを目的とする。【解決手段】  本考案の足場構築用具は、第１、第２、第３及び第４の４本の柱状体１１，１２，１３，１４と、該第１の柱状体１１と該第２の柱状体１２を結合する第１の棒状連接部材１５と、該第２の柱状体１２と該第３の柱状体１３を結合する第２の棒状連接部材１６と、該第３の柱状体１３と該第４の柱状体１４を結合する第３の棒状連接部材１７とを有し、該第１、第２及び第３の棒状連接部材は、該柱状体の周囲を回転可能に結合され、配設されていることを特徴とする。【選択図】  図１
0003131118.tif 000002
【実用新案登録請求の範囲】
【請求項１】
第１、第２、第３及び第４の４本の柱状体と
該第１の柱状体と該第２の柱状体を結合する第１の棒状連接部材と、
該第２の柱状体と該第３の柱状体を結合する第２の棒状連接部材と、
該第３の柱状体と該第４の柱状体を結合する第３の棒状連接部材とを有し、
該第１、第２及び第３の棒状連接部材は、該柱状体の周囲を回転可能に結合されていることを特徴とする足場床構築用具。
【請求項２】
前記柱状体は、円柱状体であり、また、前記棒状連接部材は、前記円柱状体に嵌合する円筒状部分を有するＴ字型結合部に固着された棒状部材であり、該Ｔ字型結合具が、前記円柱状体の周囲を摺動回転可能となっていることを特徴とする請求項１に記載の足場床構築用具。
【請求項３】
前記柱状体は、角柱状体であり、前記棒状連接部材と、角柱状体とは、蝶番によって回転可能に結合されていることを特徴とする請求項１記載の足場床構築用具。
【請求項４】
前記足場床構築用具の前記第１、第２、第３及び第４の柱状体の上部に、円筒状もしくは棒状の延長部材を嵌合して取り付け、その上部にさらに前記足場床構築用具の前記柱状体を嵌合して複数積み上げたことを特徴とする請求項１に記載の足場床構築用具。
【考案の詳細な説明】
【技術分野】
【０００１】
本考案は、建造物内外の作業などにおいて用いることができる足場床の組み立て用具に関する。
【背景技術】
【０００２】
従来、建築現場あるいは、ビル内外壁などの高所において造作・施工などの作業を行う場合、作業者の足場を確保するために足場床を設置する必要があった。
この足場床を構設する方法としては、２つの脚立を準備し、脚立を逆Ｖ字型、もしくは脚立を一文字に開いてはしご状に設置し、そのステップに足場床板を配設して足場床とする方法や、複数のパイプをジョイント金具で固定して、立面格子状にパイプを組み上げ、そのパイプの平面平行部分に足場床板を配設する方法などがあった。
【０００３】
従来の屋内作業において、とりわけ、階段路での内装作業においては、足場を組むための空間が限られていることが多く、狭い場所において、脚立を活用しての足場床の設置を余儀なくされており、このような中高空間での足場床の設置は、安定性・安全性に乏しく、作業には危険性を伴っていた。
また、建築物壁面に脚立をはしご状にして立てかけて、足場を構築するところから、壁面を傷つける可能性も含んでいた。
【０００４】
一方、パイプとジョイント金具を用いて足場を組む方法については、限られた空間容積での屋内作業においては、足場設置は、現実的に極めて困難であった。
【考案の開示】
【考案が解決しようとする課題】
【０００５】
本考案は、従来のかかる足場設置の状況に鑑みてなされたものであり、簡便な方法で、かつ作業時の安全性を向上させた足場床を設置するための部材を提供することを目的とする。
【０００６】
すなわち、本考案は、屋内の足場床設置の状況に鑑みてなされたものであり、従来にある脚立装置よりも、より安全に土台安定性を保持し、さらに、パイプとジョイント金具を用いる足場床設置装置よりも、より簡便な方法で、足場床の設置を行なうための部材を提供することと、より簡易に持ち運べ、収納の性能を向上せしうることを目的とする。
【課題を解決するための手段】
【０００７】
本考案の足場構築用具は、
第１、第２、第３及び第４の４本の柱状体と、該第１の柱状体と該第２の柱状体を結合する第１の棒状連接部材と、該第２の柱状体と該第３の柱状体を結合する第２の棒状連接部材と、該第３の柱状体と該第４の柱状体を結合する第３の棒状連接部材とを有し、該第１、第２及び第３の棒状連接部材は、該柱状体の周囲を回転可能に結合され、配設されていることを特徴とする足場床構築用具である。
【０００８】
前記足場床構築用具において、前記柱状体は、円柱状体であり、また、前記棒状連接部材は、前記円柱状体に嵌合する円筒状部分を有するＴ字型結合部に固着された棒状部材であり、該Ｔ字型結合具が、前記円柱状体の周囲を摺動回転可能となっていてもよい。
あるいは、前記足場床構築用具において、前記柱状体は、角柱状体であり、前記棒状連接部材と、角柱状体とは、蝶番によって回転可能に結合されていてもよい。
【０００９】
前記足場床構築用具において、前記足場床構築用具の前記第１、第２、第３及び第４の柱状体の上部に、中空円筒状の延長部材を嵌合して取り付け、その上部にさらに前記足場床構築用具の前記柱状体を嵌合して複数段積み上げた構造とすることもできる。
【考案の効果】
【００１０】
上記本考案によれば、従来ある脚立装置よりも、より安全に土台安定性を保持し、さらに、パイプとジョイント金具を用いる足場床設置装置よりも、より簡便な方法で、足場床の設置を行なうための部材を提供することと、より簡易に持ち運べ、収納の性能を向上せしうることを目的とする。
【考案を実施するための最良の形態】
【００１１】
［第１の実施の形態］
以下、足場床構築用具の斜視図である図１を用いて本考案の足場床構築用具の一例を説明する。本考案の足場床構築用具１０は、第１乃至第４の４本の柱状体１１、１２、１３、１４を相互に平行に立設し、これらの第１乃至第４の柱状体１１，１２，１３，１４間を、第１乃至第３の３組の棒状連接部材１５，１６，１７によって結合して構成している。すなわち、第１の棒状連接部材１５によって、第１の柱状体１１と第２の柱状体１２の両支柱に直交方向に結合されている。同様に、第２の棒状連接部材１６によって、第３の柱状体１２と第３の柱状体が結合され、さらに、第３の棒状連接部材１７によって、第３の柱状体１３と第４の柱状体１４とが結合されている。これらの第１の乃至第４の柱状体１１，１２，１３，１４は、それぞれ複数の棒状連接部材１５，１６，１７によって隣接する柱状体に結合されることが、構造的強度を保つために好ましい。
【００１２】
上記柱状体と棒状連接部材との結合構造の一例について、図１の要部拡大図である図２を用いて説明する。図２において、符号１２が第２の柱状体であり、符号１６が第２の棒状連接部材である。この棒状連接部材２３は、Ｔ字型の連結部２３と、これに固定された接続棒２２とからなっている。そして、Ｔ字型の連結部２３は、２つの中空円筒状体２０，２２が衝接して構成されており、前記柱状体１２は、この中空円筒状体２０内に嵌合され、摺動回転可能に支承されており、前記接続棒１２は、他の中空円筒状体２１に嵌合され固着されている。
【００１３】
図２において、符号１８、１９は、円筒中空柱状部２０，２１の固定を補強する補強部であるが、省略することも可能である。
【００１４】
かかる連結部２３は、柱状体１１に摺動回転可能に支承されているが、下方に意図せず移動しないように、係止機構を設けることが好ましい。具体的には、柱状体１２の所要箇所に、ピンなどを埋設し、下方への移動を阻止するか、あるいは、柱状体１２に円周状に溝を形成するとともに、中空円筒状体２０に、この溝に嵌合するピンを配置し、このピンを溝に嵌着させてもよい。このような移動阻止機構は周知の手段である。
また、この足場床構築用具の使用時に、第１の柱状体と、第４の柱状体が、相対的に移動して、開いてしまうなどの動作によって足場床が不安定になることを防止するために、第１の柱状体と第４の柱状体の間に連接用部材を懸架して、第１の柱状体と第４の柱状体を固定する部材（ストッパ）を設置することもできる。
【００１５】
［変形例］
上記実施の形態においては、第１乃至第４の柱状体１１，１２，１３，１４を円柱状体としたが、これに限らず、該柱状体の周囲を棒状連接部材が回周可能であれば、他の形状であっても差し支えない。例えば、角柱状体を用い、これと棒状連接部材とを蝶番によって結合することも可能である。また、図１においては、棒状連接部材を合計９本用いている例を示したが、これに限らず、増減しても差し支えない。
【００１６】
また、図４に示すように柱状体の下方に、延長用支柱４１を取り付けることを可能にすることが好ましい。すなわち、階段のような段差のある面に設置する場合、段差を吸収し、足場板を水平に設置することが可能になり、設置場所の自由度が向上する。
この延長用支柱は、柱状体の内部に内蔵する構造とすることもできるし、別体として準備する延長用支柱を固定する構造とすることもできる。
【００１７】
（立方体構造の拡張）
本考案の足場床構築用具において、棒状連接部材の長さは、第１乃至第３の部材いずれも同じ長さであってもよいし、図９に示すように、第１の棒状連接部材１５と第３の棒状連接部材１７の長さを等しくし、第２の棒状連接部材１６の長さをこれらの１／２の長さもしくは２倍の長さとしてもよい。これによって、さらに狭い空間に足場床構築用具を配置することができる。また、配置できる足場床板の数を増加させることができ、安定した作業場所を確保することが可能となり、作業者への土台安定性の安心感や荷物の置き場を確保するなど、さらに作業安全性に貢献することができる。図９には足場板を２枚設置することを実現している図である。
【００１８】
（ブロック状連接の設営）
本考案の足場床構築用具を上方方向に連接して増設することにより、より高い足場床を構築することが可能となり有益である。かかる構造は、図１において、第１乃至第４の柱状体１１，１２，１３，１４の上部に、図示しない連結用具を取り付けることによって、連接が可能となる。この連結用具は、例えば、中空円柱を柱状体に嵌合し、その上部中空円柱に他の足場床構築用具の柱状体を嵌合することによって相互に固定して構築することができる。
このように本考案の足場床構築用具を上方向に連接して、該用具を複数段、積み重ねて、結合することによって、足場床構築用床面に高低差のある空間で、床面が高いところでは、該用具を１台で、床面が低いところでは、該用具を複数台連接して、両用具に足場床板を積載し、足場床を設置することが可能となる。本考案の用具では、従来に比較し、より足場床を安定して設置することを可能とし、より安全に壁面作業を行える。
【００１９】
以上に記載したように、この実施の形態の足場床構築用具は、住宅建築現場での内装工事、とりわけ、螺旋状階段の吹き抜け部での内装工事の際に、利用することが好ましい場合がある。
従来の実施においては、高い壁面の内装工事の際に、脚立二脚を一文字に開き、斜方にたてかけて、該脚立に足場床を通すことによって、足場床を設置していた。このような従来の実施では、足場床を安定させるための従来装置の床面との接点は、該装置１台につき２点であり、さらに、壁面に立てかけて設置した場合、脚立の足と床面の接地位置に置いて、脚立の足にかかる荷重によって床面に水平方向に移動する可能性がある。万が一、脚立の足部分において、水平方向にかかる力が、摩擦力を上回った場合、滑動が生じ、脚立装置の転倒を招き、大変な事故につながる危険性を有している。
また、階段での設置においては、設置場所が狭い可能性が大きく、不安定な接地を余儀なくされることがあった。
そのために、その危険性を考慮しながらの作業であるがために、とりわけ、慎重な作業を強いられていた。
本考案装置の利用によって、足場床構築用具と床面とが、４点で接点をもつことを可能とする。これによって、脚立を用いた２点支持の従来の方法と比較して格段に安定性が改善され、危険が回避される。
さらに、４本の柱状体の下端部にある該装具を延長調節することにより、床面に直立して該装置を設置することを可能とする。
【００２０】
［使用方法］
（折りたたみ機能による持ち運び性、省スペース性の利用形態）
上記本考案の足場床構築用具は、使用時には立方体構造をしているが、これを折りたたむことが可能であり、持ち運びの簡易性や倉庫での収納性を高めることができる。図６〜８に本考案の足場床構築用具の折りたたみ機能の例を示す。図６が、本考案の足場床構築用具の要部斜視図であり、図７及び８が足場床構築用具を上面図である。図７は、足場床構築用具の折りたたみ前の状態を示し、また、図８に折りたたみ後の状態例を示す。
図６乃至図８に示すように、柱状体１２と柱状体１３は棒状連接部材１６で結合しており、棒状連接部材１５は外転を、棒状連接部材１７は内転をすることで、平坦に折りたたむことを可能としている。
【００２１】
（段差面での実施形態）
次に、図４に段差のある空間における本考案の足場床構築用具の利用形態を示す。また、段差のある床面での高所作業の具体的例示として、図５に示すような螺旋階段などの階段における使用がある。すなわち、第１乃至第４の柱状体の所要部分に延長用部材を固着し、その長さを調整することによって、異なる高さの床面においても、水平に足場床を設置することが可能になる。
従来の脚立には支柱に延長用部材を固着し、脚立の４本の支柱の長さを適宜調整することによって、床面に対して水平方向に足場床を設置可能にしていた。すなわち、この空間において、水平方向への足場板を設置する場合には、該脚立を２脚用意し、床面に対して該脚立の支柱の長さを伸縮して載置し、該脚立の両の足置き台に板を通して足場床を設置していたが、足場安定性に欠けるところがあった。
この螺旋階段のような段差のある状況において、本考案の足場床構築用具を用いることによってかかる不具合を回避することができる。
【００２２】
本考案の足場床構築用具では、その土台安定性の不安点を改善するものであり、本考案の足場床構築用具の４本の柱状体の下端部に延長可変可能な支柱を装具させる。装具させた４本の柱状体に連結される延長可能な支柱を適宜調整することで、床面と４点において接触することが可能になり、４本の柱状体は床面に対して鉛直方向に立脚することが可能になり、力学関係上、安定化する。また、脚立を斜めに立てかける従来の方法手段よりも、より安定に設置することが可能になる。さらに、階段面はその水平面が狭いため、床面との接点を容易に得ることを可能とする。また、接点を土台安定性を考慮した相当の円形状の接点部に造ることによって、より好ましい土台安定性を得ることを可能とする。
【００２３】
より高い作業場所においては、従来の脚立を一文字に開き、逆ハの字形に壁面へ両装置を立てかけて、足置き台に板を通して、足場床を設置することしか手段はなく、階段面での位置取りや静止摩擦力の限界値の関係上、土台安定性には不安を有し、作業慎重性を余儀なくされていた。
さらに、中高空間においては、逆ハの字で土台を組み立てていた従来の脚立装置は、各装置が二点の接地であることから安定性に対してさらなる不安があった。第一に、段差面は狭いことから、接点の位置取りに不安があること、第二に静止摩擦力の限界値を超えると滑動が始まることが挙がる。
【００２４】
本考案の足場床構築用具では、さらに高い空間での足場設置を実現するに際しては、図１に示す柱状体１１，１２，１３，１４の長さを調整することによって実現できるが、本考案の足場床構築用具を複数用意し、垂直方向に多段に連結することによって高い作業場所においても足場床を構築することが可能になる。この場合、荷重のかかりは、上下方向になるので、多段に連結される場合も、その荷重方向は床面に対して、直交であり、力学的な荷重の逃げの方向は同一であり、多段に組むことによっても、足場床構築用具が水平方向に滑動することが回避され、安定に設置することが可能である。図４に段差のある床面上での本考案装置の利用実施形態例を示している。支柱部の延長部の長さを可変にし、考案装置を安定に載置している。安定に載置した考案装置間に足場板を通し、内装作業のできる状態に設置している。
【００２５】
（Ｌ字路での構築）
従来の脚立を利用して足場を設置するには、一方向への設置のみの対応であった。本考案の足場床構築用具では、立面体構造をしていることにより、直交する２方向への足場板の設置を行なうことができ、とりわけ、角部を含むＬ字路の設置に大きな効果を発揮する。すなわち、Ｌ字路構築の概念図である図３を用いて説明する。図３は、建築物の内部の空間に、本考案の足場床構築用具１０Ａ，１０Ｂ，１０Ｃを３台配置し、足場床板３１，３２を配設して、Ｌ字型の足場床を構築する例を示している。図３に見られるように、足場床構築用具１０Ｂにおいて、交差する２枚の足場床板が重ね合わされて配置され、Ｌ字路が形成されるようになっている。
従来の脚立では、足場床構築用具１０Ｂの位置に２台の脚立を配置する必要があったが、本考案の足場床構築用具では、１台のみの使用で、同等の足場床を構築することが可能になる。
【００２６】
（足場床板の傾斜設置）
上記実施の形態では、棒状連接部材を、柱状体に固定ないし半固定する形態を示したが、この棒状連接部材を柱状体に沿って上下に移動可能とすることもできる。これによれば、その上に足場板を傾斜して搭載することができ、現場の状況に応じた足場床の設置を可能にすることができる。
【００２７】
［作用・効果］
以上に詳述したように、本考案の足場床構築用具は、以下に挙げる作用・効果を奏することで、実用上極めて優れた足場床構築用具を実現することができる。
【００２８】
従来のパイプとジョイント金具を用いる手段では、一部材ずつを組み立て、作業後は一部材ずつに解体し、運搬、収納をすることを余儀なくされていた。本考案装置は、折りたたみ機能を有し、屏風のごとく、平たんな構造に変化させることができる。本機能により、持ち運びを簡易にし、収納性を向上せしうる装置としての効果を奏する。
【００２９】
従来にあるパイプとジョイント金具を用いる足場床設置方式には、一部材ずつを組み立てる必要性を有していた。本考案装置では、あらかじめ支柱と連接部材が組み立てられた状態にあるため、回転機能を活用して、考案物を開閉することにより組み立て、足場床土台を構築することを迅速にし、組み立て作業効率を向上せしうる効果を奏する。
【００３０】
従来にある脚立装置では、階段路などの段差のある床面での設置を四柱の長さを調整して、土台安定性を確保していた。本考案装置では、支柱の下端部に延長材を装具することによって、段差のある床面の状況に応じて、適宜、延長材の長さを可変にし、床面と考案物を直交に載置することで、該装置の土台安定性を向上せしうる効果を奏する。
【００３１】
従来にある脚立装置では、脚立最上面の高さ以上での足場床の設置には、脚立装置を一文字に開き、２点接地の状況で、足場床を設置していた。本考案装置では、該装置を連接具を用いて上方に連接することによって、中高空間での足場床の設置を可能とし、さらに、４点接地である該装置は２点接地である従来装置よりも土台安定性を向上せしうる効果を奏する。
【図面の簡単な説明】
【００３２】
【図１】本考案の足場床構築用具の一例を示す概略斜視図
【図２】本考案の足場床構築用具の一部拡大概略斜視図
【図３】本考案の足場床構築用具を用いてＬ字路を構設する利用形態の概略斜視図
【図４】本考案の足場床構築用具を用いて段差のある床面で足場床を構築する利用形態の概略斜視図
【図５】本考案の足場床構築用具を螺旋階段のような段差のある床面で足場床を構築する利用形態の概略斜視図
【図６】本考案の足場床構築用具の折りたたみ機能を示す斜視図
【図７】本考案の足場床構築用具の折りたたみ前の状態を示す上面図
【図８】本考案の足場床構築用具の折りたたみ後の状態を示す上面図
【図９】本考案の足場床構築用具の他の一例を示す概略斜視図
【符号の説明】
【００３３】
１０：足場床構築用具
１１：第１の柱状体
１２：第２の柱状体
１３：第３の柱状体
１４：第４の柱状体
１５：第１の棒状連接部材
１６：第２の棒状連接部材
１７：第３の棒状連接部材
１８、１９：補強部
２０、２１：円筒中空柱状部
２３：連結部
３１、３２：足場板
４１：延長用支柱
４２：階段路
５２：螺旋階段路
９１、９２：足場板
【図１】
0003131118.tif 000003
【図２】
0003131118.tif 000004
【図３】
0003131118.tif 000005
【図４】
0003131118.tif 000006
【図５】
0003131118.tif 000007
【図６】
0003131118.tif 000008
【図７】
0003131118.tif 000009
【図８】
0003131118.tif 000010
【図９】
0003131118.tif 000011